(57)【要約】【課題】ユーザに多くの操作を求めることなく、ディジタルデータバスに接続されたディジタル記録再生装置間でディジタルデータをコピーさせる。【解決手段】このディジタル放送受信装置１は、ディジタル放送信号を受信してデコードし、得られるビデオ信号およびオーディオ信号を、それぞれディスプレイ５またはスピーカ４に出力する。また、ディジタル放送受信装置１は、ＩＥＥＥ１３９４データバス６を介して接続されるディジタル記録再生装置５−１乃至５−３と、デコードされた状態のビデオ信号およびオーディオ信号を通信する。さらに、ディジタル放送受信装置１は、ＩＥＥＥ１３９４データバス６に接続されているディジタル記録再生装置５−１乃至５−３の間のディジタルデータのコピー動作を制御する。本発明は、ディジタル放送受信装置に適用することができる。【選択図】　　　図２
2004095118.tif 000002
【特許請求の範囲】
【請求項１】
ディジタルデータバスを介して接続された電子機器を制御する制御装置において、
前記ディジタルデータバスを介して接続された第１の電子機器の出力データをモニタするモニタ手段と、
前記第１の電子機器の出力と、前記ディジタルデータバスを介して接続された第２の電子機器の入力とを対応付ける対応付け手段と、
前記第１の電子機器の再生動作、および前記第２の電子機器の記録動作を開始させる開始制御手段と、
前記第１の電子機器の再生動作、および前記第２の電子機器の記録動作を停止させる停止制御手段と、
前記第１の電子機器と前記第２の電子機器との間のディジタルデータのコピー処理の結果を通知する通知手段と
を含むことを特徴とする制御装置。
【請求項２】
前記ディジタルデータバスは、ＩＥＥＥ１３９４データバスである
ことを特徴とする請求項１に記載の制御装置。
【請求項３】
前記第１および第２の電子機器のうち、少なくとも一方の異常を検知して、前記コピー処理を中断させる検知手段を
さらに含むことを特徴とする請求項１に記載の制御装置。
【請求項４】
前記通知手段は、前記検知手段によって検出された前記異常も通知する
ことを特徴とする請求項３に記載の制御装置。
【請求項５】
ディジタルデータバスを介して接続された電子機器を制御する制御装置の制御方法において、
前記ディジタルデータバスを介して接続された第１の電子機器の出力データをモニタするモニタステップと、
前記第１の電子機器の出力と、前記ディジタルデータバスを介して接続された第２の電子機器の入力とを対応付ける対応付けステップと、
前記第１の電子機器の再生動作、および前記第２の電子機器の記録動作を開始させる開始制御ステップと、
前記第１の電子機器の再生動作、および前記第２の電子機器の記録動作を停止させる停止制御ステップと、
前記第１の電子機器と前記第２の電子機器との間のディジタルデータのコピー処理の結果を通知する通知ステップと
を含むことを特徴とする制御方法。
【請求項６】
ディジタルデータバスを介して接続された電子機器を制御するプログラムであって、
前記ディジタルデータバスを介して接続された第１の電子機器の出力データをモニタするモニタステップと、
前記第１の電子機器の出力と、前記ディジタルデータバスを介して接続された第２の電子機器の入力とを対応付ける対応付けステップと、
前記第１の電子機器の再生動作、および前記第２の電子機器の記録動作を開始させる開始制御ステップと、
前記第１の電子機器の再生動作、および前記第２の電子機器の記録動作を停止させる停止制御ステップと、
前記第１の電子機器と前記第２の電子機器との間のディジタルデータのコピー処理の結果を通知する通知ステップと
を含むことを特徴とするコンピュータが読み取り可能なプログラムが記録されている記録媒体。
【請求項７】
ディジタルデータバスを介して接続された電子機器を制御するコンピュータに、
前記ディジタルデータバスを介して接続された第１の電子機器の出力データをモニタするモニタステップと、
前記第１の電子機器の出力と、前記ディジタルデータバスを介して接続された第２の電子機器の入力とを対応付ける対応付けステップと、
前記第１の電子機器の再生動作、および前記第２の電子機器の記録動作を開始させる開始制御ステップと、
前記第１の電子機器の再生動作、および前記第２の電子機器の記録動作を停止させる停止制御ステップと、
前記第１の電子機器と前記第２の電子機器との間のディジタルデータのコピー処理の結果を通知する通知ステップと
を含む処理を実行させることを特徴とするプログラム。
【発明の詳細な説明】
【０００１】
【発明の属する技術分野】
本発明は、制御装置および方法、記録媒体、並びにプログラムに関し、特に、ディジタルデータバスを介して接続された電子機器の間で、ディジタルデータをコピーさせる場合に用いて好適な制御装置および方法、記録媒体、並びにプログラムに関する。
【０００２】
【従来の技術】
ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）１３９４データバス（いわゆる、ｉ．ＬＩＮＫ（商標））等に代表されるディジタルデータバスを介して、複数のＡＶ機器を接し、ビデオデータ、オーディオデータ、その他のディジタルデータを通信する方法が存在する（例えば、非特許文献１参照）。
【０００３】
ディジタルデータバスに接続可能な電子機器としては、例えば、パーソナルコンピュータ、テレビジョン受像機、ディジタルビデオカメラ、ハードディスクレコーダ、ディジタルＶＣＲ（Ｖｉｄｅｏ　Ｃａｓｓｅｔｔｅ　Ｒｅｃｏｒｄｅｒ）、ディジタル放送受信装置、ＭＤプレーヤ等を挙げることができる。以下、これらの電子機器を総称して、ディジタル記録再生装置と記述する。
【０００４】
【非特許文献１】
ソニー株式会社「高速デジタルインターフェイス　ＩＥＥＥ１３９４　ＡＶ機器への応用」日刊工業新聞、２００１年１月２８日発行」
【０００５】
【発明が解決しようとする課題】
ところで、一方のディジタル記録再生装置によって再生させたディジタルデータを、ディジタルデータバスを介して、他方のディジタル記録再生装置に記録させる場合（すなわち、ディジタルデータをコピーさせる場合）、ユーザは、図１のフローチャートに示すような操作を段階的に実施する必要があった。以下においては、ディジタルデータバスとしてＩＥＥＥ１３９４を用いた例について説明する。
【０００６】
すなわち、ステップＳ１の操作として、ユーザは、再生側のディジタル記録再生装置（以下、再生装置と略記する）の出力プラグと、記録側のディジタル記録再生装置（以下、記録装置と略記する）の入力プラグとを対応付ける（ＬＩＮＣ（Ｌｏｇｉｃａｌ　Ｉｎｔｅｒｆａｃｅ　Ｃｏｎｎｅｃｔｉｏｎ）する）。
【０００７】
ステップＳ２の操作として、ユーザは、再生装置および記録装置の電源をオンとする。ステップＳ３の操作として、ユーザは、記録装置の記録動作を開始させる。ステップＳ４の操作として、ユーザは、再生装置の再生動作を開始させる。ステップＳ５の操作として、ユーザは、ディジタルデータのコピーが終了するまで監視する。
【０００８】
ディジタルデータのコピーが終了した場合、ステップＳ６の操作として、ユーザは、再生装置の再生動作を停止させる。ステップＳ７の操作として、ユーザは、記録装置の記録動作を停止させる。ステップＳ８の操作として、ユーザは、再生装置および記録装置の電源をオンとする。以上の操作により、再生装置から記録装置にディジタルデータがコピーされることになる。
【０００９】
このように、上述した一連の操作をユーザに実行させることは、ディジタル記録再生装置の操作に習熟しているユーザでなければ、その操作が困難である課題があった。
【００１０】
また、一連の操作の途中で、コピーが失敗した場合、その原因を直接的に知ることができない課題があった。
【００１１】
さらに、ユーザはコピーが終了するまで監視しなければならないので、それが煩わしいという課題があった。
【００１２】
本発明はこのような状況に鑑みてなされたものであり、ユーザに多くの操作を求めることなく、ディジタルデータバスに接続されたディジタル記録再生装置間でディジタルデータをコピーさせることを目的とする。
【００１３】
【課題を解決するための手段】
本発明の制御装置は、ディジタルデータバスを介して接続された第１の電子機器の出力データをモニタするモニタ手段と、第１の電子機器の出力と、ディジタルデータバスを介して接続された第２の電子機器の入力とを対応付ける対応付け手段と、第１の電子機器の再生動作、および第２の電子機器の記録動作を開始させる開始制御手段と、第１の電子機器の再生動作、および第２の電子機器の記録動作を停止させる停止制御手段と、第１の電子機器と第２の電子機器との間のディジタルデータのコピー処理の結果を通知する通知手段とを含むことを特徴とする。
【００１４】
前記ディジタルデータバスは、ＩＥＥＥ１３９４データバスとすることができる。
【００１５】
本発明の制御装置は、第１および第２の電子機器のうち、少なくとも一方の異常を検知して、コピー処理を中断させる検知手段をさらに含むことができる。
【００１６】
前記通知手段は、検知手段によって検出された異常も通知するようにすることができる。
【００１７】
本発明の制御方法は、ディジタルデータバスを介して接続された第１の電子機器の出力データをモニタするモニタステップと、第１の電子機器の出力と、ディジタルデータバスを介して接続された第２の電子機器の入力とを対応付ける対応付けステップと、第１の電子機器の再生動作、および第２の電子機器の記録動作を開始させる開始制御ステップと、第１の電子機器の再生動作、および第２の電子機器の記録動作を停止させる停止制御ステップと、第１の電子機器と第２の電子機器との間のディジタルデータのコピー処理の結果を通知する通知ステップとを含むことを特徴とする。
【００１８】
本発明の記録媒体のプログラムは、ディジタルデータバスを介して接続された第１の電子機器の出力データをモニタするモニタステップと、第１の電子機器の出力と、ディジタルデータバスを介して接続された第２の電子機器の入力とを対応付ける対応付けステップと、第１の電子機器の再生動作、および第２の電子機器の記録動作を開始させる開始制御ステップと、第１の電子機器の再生動作、および第２の電子機器の記録動作を停止させる停止制御ステップと、第１の電子機器と第２の電子機器との間のディジタルデータのコピー処理の結果を通知する通知ステップとを含むことを特徴とする。
【００１９】
本発明のプログラムは、ディジタルデータバスを介して接続された第１の電子機器の出力データをモニタするモニタステップと、第１の電子機器の出力と、ディジタルデータバスを介して接続された第２の電子機器の入力とを対応付ける対応付けステップと、第１の電子機器の再生動作、および第２の電子機器の記録動作を開始させる開始制御ステップと、第１の電子機器の再生動作、および第２の電子機器の記録動作を停止させる停止制御ステップと、第１の電子機器と第２の電子機器との間のディジタルデータのコピー処理の結果を通知する通知ステップとを含む処理をコンピュータに実行させることを特徴とする。
【００２０】
本発明の制御装置および方法、並びにプログラムにおいては、第１の電子機器の出力と、ディジタルデータバスを介して接続された第２の電子機器の入力とが対応付けられ、第１の電子機器の再生動作、および第２の電子機器の記録動作が開始される。その後、第１の電子機器の再生動作、および第２の電子機器の記録動作が停止され、第１の電子機器と第２の電子機器との間のディジタルデータのコピー処理の結果が通知される。
【００２１】
【発明の実施の形態】
本発明の一実施の形態であるディジタル放送受信装置について、図２を参照して説明する。
【００２２】
このディジタル放送受信装置１は、ディジタル放送信号を受信してデコードし、得られる映像信号および音声信号を、それぞれディスプレイ５またはスピーカ４に出力する。また、ディジタル放送受信装置１は、ＩＥＥＥ１３９４データバス６を介して接続されるディジタル記録再生装置５−１乃至５−３と、エンコードされているビデオデータおよびオーディオデータを通信する。
【００２３】
さらに、ディジタル放送受信装置１は、ＩＥＥＥ１３９４データバス６に接続されているディジタル記録再生装置５−１乃至５−３の間のディジタルデータ（ビデオデータおよびオーディオデータ）のコピー動作を制御する。
【００２４】
ディジタル放送受信装置１を構成する制御部１１は、記録媒体１４に記録されている制御用プログラム１５を実行することにより、ディジタル放送受信装置１の各部を制御する。また、制御部１１は、操作入力部１２または受光部１３から入力される、ユーザの操作に対応する操作信号に従ってディジタル放送受信装置１の各部を制御する。なお、図２においては、制御部１１から各部に対する制御線の図示が省略されている。
【００２５】
操作入力部１２は、本体外壁面に設けられる操作ボタンなどからなり、ディスプレイ３に表示されるＧＵＩ（Ｇｒａｐｈｉｃａｌ　Ｕｓｅｒ　Ｉｎｔｅｒｆａｃｅ）に対するユーザの操作を受け付けて、対応する操作信号を制御部１１に出力する。受光部１３は、ユーザによって操作されるリモートコントローラ（不図示）が発信する操作信号を受けて制御部１１に中継する。
【００２６】
チューナ１６は、ユーザの選局に対応するディジタル放送信号をアンテナ２の出力から抽出して、デスクランブラ１７に出力する。デスクランブラ１７は、ディジタル放送信号のスクランブルを解除してデマルチプレクサ（ＤＥＭＵＸ）１８に出力する。デマルチプレクサ１８は、スクランブルが解除されたディジタル放送信号を、ビデオデータとオーディオデータに分離して、スイッチ１９に出力する。
【００２７】
スイッチ１９は、デマルチプレクサ１８から入力されるビデオデータおよびオーディオデータ、または入出力インタフェース２３から入力されるビデオデータおよびオーディオデータを、それぞれ映像復号部２０と音声復号部２２に出力する。
【００２８】
映像復号部２０は、スイッチ１９から入力されるビデオデータをデコードし、ＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）方式等に従った映像信号に変換して、ＯＳＤ（Ｏｎ　Ｓｃｒｅｅｎ　Ｄｉｓｐｌａｙ）付加部２１に出力する。
【００２９】
ＯＳＤ付加部２１は、映像信号復号部２０から入力される映像信号に、適宜、データ放送用の映像信号、字幕用の映像信号、ＧＵＩ用の映像信号などを生成して重畳し、ディスプレイ３に出力する。
【００３０】
音声復号部２２は、スイッチ１９から入力されるオーディオデータをデコードして音声信号を生成し、スピーカ４に出力する。
【００３１】
入出力インタフェース２３は、ＩＥＥＥ１３９４データバス６を介して接続されるディジタル記録再生装置５−１乃至５−３と、ビデオデータおよびオーディオデータなどのディジタルデータを通信する。また、入出力インタフェース２３は、ディジタル記録再生装置５−１乃至５−３の間のコピー動作を制御するために制御部１１が出力する制御信号を、ディジタル記録再生装置５−１乃至５−３に中継する。
【００３２】
ディジタル記録再生装置５−１乃至５−３は、例えば、パーソナルコンピュータ、テレビジョン受像機、ディジタルビデオカメラ、ハードディスクレコーダ、ディジタルＶＣＲ、ディジタル放送受信装置、ＭＤプレーヤ等の電子機器であり、ディジタルデータを情報記録媒体に記録したり、再生したりする。この情報記録媒体は、磁気テープのように、ランダムアクセスが不可能であるものもあるし、ハードディスクのようにランダムアクセスが可能なものもある。
【００３３】
次に、ディジタル放送受信装置１によるコピー制御処理について、ディジタル記録再生装置５−１が再生するディジタルデータを、ディジタル記録再生装置５−２に記録する場合を例にし、図３および図４のフローチャートを参照して説明する。以下、ディジタル記録再生装置５−１を再生装置５−１と略記し、ディジタル記録再生装置５−２を記録装置５−２と略記する。
【００３４】
ステップＳ１１において、制御部１１は、このコピー制御処理の終了時にユーザに通知するメッセージを特定するためのメッセージＩＤを、正常終了（すなわち、コピー成功）を示すものに初期化する。
【００３５】
ステップＳ１２において、制御部１１は、ディジタル放送受信装置１の入力プラグと再生装置５−１の出力プラグをＬＩＮＣする。スイッチ１９は、制御部１１の制御により、入出力インタフェース２３から入力されるビデオデータおよびオーディオデータを、それぞれ映像復号部２０と音声復号部２２に出力するようにスイッチングする。これにより、コピーされるディジタルデータの映像や音声を、ディジタル放送受信装置１を介して、ディスプレイ３およびスピーカ４をモニタすることが可能となる。
【００３６】
ステップＳ１３において、制御部１１は、再生装置５−１の電源の状態を確認してオンの状態に設定する。ステップＳ１４において、制御部１１は、再生装置５−１が再生可能な状態であるか否かを判定する。再生装置５−１が再生可能な状態であると判定された場合、処理はステップＳ１５に進む。
【００３７】
ステップＳ１５において、制御部１１は、ユーザの操作に従い、再生装置５−１の再生開始ポイント、すなわち、コピー開始ポイントを設定する。ユーザが再生開始ポイントを指定する方法としては、ディスプレイ３に表示させるＧＵＩに、再生、早送り、巻き戻し、頭出しなどを指示できるボタンを設けるようにするか、または、再生装置５−１が再生可能なディジタルデータのリストを表示して選択できるボタンを設けるようにすればよい。なお、ここで、特にユーザの操作がなければ、現在の再生ヘッドの位置を、再生開始ポイントに設定すればよい。
【００３８】
ステップＳ１６において、制御部１１は、再生装置５−１の出力プラグと記録装置５−２の入力プラグをＬＩＮＣする。これにより、再生装置５−１によって再生されるディジタルデータが、記録装置５−２に入力されることになる。
【００３９】
ステップＳ１７において、制御部１１は、記録装置５−２の電源の状態を確認してオンの状態に設定する。ステップＳ１８において、制御部１１は、記録装置５−２が記録可能な状態であるか否かを判定する。記録装置５−２が記録可能な状態であると判定された場合、処理はステップＳ１９に進む。
【００４０】
ステップＳ１９において、制御部１１は、ユーザの操作に従い、記録装置５−２の記録開始ポイント、すなわち、コピー開始ポイントを設定する。ユーザが記録開始ポイントを指定する方法としては、ディスプレイ３に表示させるＧＵＩに、再生、早送り、巻き戻し、頭出しなどを指示できるボタンを設けるようにすればよい。ここで、特にユーザの操作がなければ、現在の記録ヘッドの位置を、記録開始ポイントに設定すればよい。なお、記録装置５−２がハードディスクのようなランダムアクセス可能な情報記録媒体を用いている場合、ディジタルデータは空き領域に記録されるので、ステップＳ１９の処理は省略することができる。
【００４１】
ステップＳ２０において、制御部１１は、ユーザの操作に従い、コピー時間（または、データ量）を設定する。ユーザがコピー時間を指定する方法としては、ディスプレイ３に表示させるＧＵＩに、コピー時間を設定できるボタン等を設けるようにすればよい。または、制御部１１が、再生装置５−１が本来有している機能（頭出し機能など）を用いたり、ディレクトリエントリおよびＦＡＴ（Ｆｉｌｅ　Ａｌｌｏｃａｔｉｏｎ　Ｔａｂｌｅ）等を参照したりすることにより、コピーしようとするディジタルデータの再生時間、あるいはそのデータ量を取得するようにしてもよい。
【００４２】
ステップＳ２１において、制御部１１は、ＧＵＩに設けられたコピー開始を指示するボタンに対するユーザからの操作に対応して、再生装置５−１の再生動作、および記録装置５−２の記録動作を開始させる。なお、コピーが開始された後、ＧＵＩには、コピーの中断を指示するボタンが設けられる。
【００４３】
図４のステップＳ２２において、制御部１１は、ステップＳ２０の処理で設定されたコピー時間が経過したか否か（あるいは、設定されたデータ量がコピーされたか否か）に基づき、ディジタルデータのコピーが完了したか否かを判定する。ディジタルデータのコピーが完了していないと判定された場合、処理はステップＳ２３に進む。ステップＳ２３において、制御部１１は、ユーザによってコピーの中断を指示する操作が行われたか否かを判定する。ユーザによってコピーの中断を指示する操作が行われたと判定された場合、処理はステップＳ２４に進む。
【００４４】
ステップＳ２４において、制御部１１は、再生装置５−１および記録装置５−２の少なくとも一方に異常が生じていないか否かを確認する。再生装置５−１および記録装置５−２に異常が生じていないと確認された場合、処理はステップＳ２２に戻り、それ以降の処理が繰り返される。
【００４５】
その後、ステップＳ２２において、ディジタルデータのコピーが完了したと判定された場合、処理はステップＳ２６に進む。ステップＳ２６において、
【００４６】
ステップＳ２６において、制御部１１は、再生装置５−１の再生動作、および記録装置５−２の記録動作を停止させ、再生装置５−１および記録装置５−２の電源の状態を確認してオフの状態に設定する。
【００４７】
ステップＳ２７において、制御部１１は、再生装置５−１の出力プラグと記録装置５−２の入力プラグとのＬＩＮＣを解除する。ステップＳ２８において、制御部１１は、ディジタル放送受信装置１の入力プラグと再生装置５−１の出力プラグとのＬＩＮＣを解除する。ステップＳ２９において、ＯＳＤ付加部２１は、制御部１１の制御に従い、メッセージＩＤに対応するメッセージを示す映像信号を生成してディスプレイ３に出力する。これにより、ディスプレイ３には、メッセージＩＤに対応するメッセージが表示されることとなる。いまの場合、正常終了（例えば、「コピーが終了しました」等）を示すメッセージが表示される。
【００４８】
なお、ステップＳ１４において、例えば、再生装置５−１に情報記録媒体がセットされていない場合などには、再生装置５−１が再生可能な状態ではないと判定されて、処理はステップＳ２５に進む。また、ステップＳ１８において、例えば、記録装置５−２にセットされたテープメディアの上書き防止用の爪が折れている場合などには、記録装置５−２が記録可能な状態ではないと判定されて、処理はステップＳ２５に進む。
【００４９】
ステップＳ２５において、制御部１１は、メッセージＩＤを、異常発生（いまの場合、例えば、「メディアがセットされていません」等）を示すものに設定する。これ以降、ステップＳ２６以降の処理が実行される。
【００５０】
また、ステップＳ２３において、ユーザによってコピーの中断を指示する操作が行われたと判定された場合にも、処理はステップＳ２５に進む。この場合、ステップＳ２５の処理では、メッセージＩＤが、途中終了（例えば、「指示によりコピーを中断しました」等）を示すものに設定される。
【００５１】
またさらに、ステップＳ２４において、再生装置５−１および記録装置５−２の少なくとも一方に異常が生じていると確認された場合にも、処理はステップＳ２５に進む。この場合、ステップＳ２５の処理では、メッセージＩＤが、途中終了（例えば、「再生装置に異常が発生しました」等）を示すものに設定される。
【００５２】
以上で、ディジタル放送受信装置１によるコピー制御処理の説明を終了する。
【００５３】
以上説明したように、ディジタル放送受信装置１によるコピー制御処理によれば、ユーザは最低限の操作で、ディジタルデータのコピーを指示することができる。また、この場合、ユーザはコピーの進行状況を監視する必要がない。さらに、この場合、ＧＵＩが次に行うべき操作を教えてくれるので、電子機器の操作に疎いユーザであってもコピーの指示を実行することができる。
【００５４】
なお、ディジタル放送受信装置１とディジタル記録再生装置５−１乃至５−３との間の接続に、ＩＥＥＥ１３９４データバス以外のディジタルデータバスが用いられている場合においても、本発明を適用することが可能である。
【００５５】
また、本実施の形態においては、ディジタル放送受信装置１に本発明を適用したが、ディジタル放送受信装置以外の他の電子機器に、本発明を適用することも可能である。
【００５６】
ところで、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００５７】
【発明の効果】
以上のように、本発明によれば、ユーザに多くの操作を求めることなく、ディジタルデータバスに接続されたディジタル記録再生装置間でディジタルデータをコピーさせることが可能となる。
【図面の簡単な説明】
【図１】ディジタル記録再生装置間でディジタルデータをコピーさせるときのユーザの操作を説明するフローチャートである。
【図２】本発明を適用したディジタル放送受信装置の構成例を示すブロック図である。
【図３】ディジタル放送受信装置によるコピー制御処理を説明するフローチャートである。
【図４】ディジタル放送受信装置によるコピー制御処理を説明するフローチャートである。
【符号の説明】
１　ディジタル放送受信装置，５−１乃至５−３　ディジタル記録再生装置，６　ＩＥＥＥ１３９４データバス，　１１　制御部，　１２　操作入力部，　１３　受光部，　１４　記録媒体，　１５　制御用プログラム，　２３　入出力インタフェース，　２１　ＯＳＤ付加部
【図１】
2004095118.tif 000003
【図２】
2004095118.tif 000004
【図３】
2004095118.tif 000005
【図４】
2004095118.tif 000006